(57)【要約】【課題】迅速かつ容易にノズルを交換することが可能である湿し水の噴霧装置を提供する。【解決手段】スプレー式湿し水供給装置の噴霧装置において、湿し水を噴霧するノズル２０と、ノズルを接続可能な端面を有するとともに、外周部に少なくとも１つの溝を設けたノズルホルダー３０と、少なくともノズルの噴霧口を露出可能な開口部４１を有するとともに、内周部に溝に対向して噛み合い可能なノズル着脱移動部５０と、ノズルを挟んでノズルホルダーに締め付け可能なノズル固定部材４０とを有し、ノズル固定部材を手回し可能にする手掛かり部４３によって、ノズル固定部材をノズルホルダーに対し一方向に手回ししてノズルをノズルホルダーに固定させ、他方向に手回ししてノズルをノズルホルダーから分離させる。【選択図】　　　　図１
2004058427.tif 000002
【特許請求の範囲】
【請求項１】
オフセット印刷機の刷版面又は刷版に至るローラーの周面に、湿し水をノズルから噴霧して供給するスプレー式湿し水供給装置に係る噴霧装置において、
湿し水を噴霧するノズルと、
ノズルを接続可能な端面を有するとともに、外周部に少なくとも１つの溝を設けたノズルホルダーと、
少なくともノズルの噴霧口を露出可能な開口部を有するとともに、内周部に前記溝に対向して噛み合い可能なノズル着脱移動部を有し、ノズルを挟んでノズルホルダーに締め付け可能なノズル固定部材と、
を有し、
さらに、前記ノズル固定部材には、その外周部に当該ノズル固定部材を手回し可能にする手掛かり部を設け、
ノズル固定部材を、ノズルホルダーに対し一方向に手回しすることによってノズルをノズルホルダーに固定させることが可能であり、他方向に手回しすることによってノズルをノズルホルダーから分離させることが可能であることを特徴とする湿し水の噴霧装置。
【請求項２】
オフセット印刷機の刷版面又は刷版に至るローラーの周面に、湿し水をノズルから噴霧して供給するスプレー式湿し水供給装置に係る噴霧装置において、
湿し水を噴霧するノズルと、
ノズルを接続可能な端面を有するとともに、外周部に少なくとも１つのノズル着脱移動部を有するノズルホルダーと、
少なくともノズルの噴霧口を露出可能な開口部を有するとともに、内周部に前記ノズル着脱移動部に対向して噛み合い可能な溝を有し、ノズルを挟んでノズルホルダーに締め付け可能なノズル固定部材と、
を有し、
さらに、前記ノズル固定部材には、その外周部に当該ノズル固定部材を手回し可能にする手掛かり部を設け、
ノズル固定部材を、ノズルホルダーに対し一方向に手回しすることによってノズルをノズルホルダーに固定させることが可能であり、他方向に手回しすることによってノズルをノズルホルダーから分離させることが可能であることを特徴とする湿し水の噴霧装置。
【請求項３】
ノズル着脱移動部を突起体とし、このノズル着脱移動部が噛み合う溝を当該溝を設ける周部を１周回未満の螺旋状溝とした、請求項１又は請求項２に記載の湿し水の噴霧装置。
【請求項４】
ノズル着脱移動部とこのノズル着脱移動部が噛み合う溝とをねじとした、請求項１又は請求項２に記載の湿し水の噴霧装置。
【請求項５】
ノズル固定部材の開口部の形状が、ノズルと予め定めた所定の位相関係にあるときにノズルが通過可能に形成された、請求項１乃至請求項４のいずれかに記載の湿し水の噴霧装置。
【請求項６】
ノズルが、移動を許容されつつ分離を妨げられてノズル固定部材に組み込まれて設けられた、請求項１乃至請求項５のいずれかに記載の湿し水の噴霧装置。
【請求項７】
ノズルホルダーに対するノズルの取付け関係を一定に規制可能であるように位置決め手段を設けた、請求項１乃至請求項６のいずれかに記載の湿し水の噴霧装置。
【請求項８】
ノズルホルダーの外周部を、ノズルホルダーと一体に設けた円筒部材で形成した、請求項１乃請求項７のいずれかに記載の湿し水の噴霧装置。
【請求項９】
ノズル固定部材の内周部を、ノズル固定部材と一体に設けた円筒部材で形成した、請求項１乃至請求項７のいずれかに記載の湿し水の噴霧装置。
【請求項１０】
手掛かり部を、ノズル固定部材の外周部から張り出した少なくとも１つの張出し部とした、請求項１乃至請求項９のいずれかに記載の湿し水の噴霧装置。
【発明の詳細な説明】
【０００１】
【発明の属する技術分野】
この発明は、オフセット印刷機におけるスプレー式湿し水供給装置に関し、特に当該装置に備えられ、着脱可能なノズルを有する湿し水の噴霧装置に関する。
【０００２】
【従来の技術】
一般にオフセット印刷機には、種々の添加成分によって調製された湿し水を、刷版面又は刷版に至るローラーの周面に供給する湿し水装置が備えられており、特にオフセット新聞輪転機（以下、新聞輪転機という）の印刷装置においては、スプレー式湿し水供給装置が備えられることが多い。このスプレー式湿し水供給装置に用いられる湿し水の噴霧装置（以下、噴霧装置という）は、加圧された湿し水が押し出され噴霧されるいわゆる一流体式の噴霧装置が主流である。この噴霧装置は、加圧された湿し水が噴霧装置内に供給され、電磁開閉弁の作動によって止水・通水を交互に行い、電磁開閉弁の先端側に取り付けられたノズルから、湿し水を断続的に噴霧させるようになっている。
【０００３】
前記噴霧装置に用いられる湿し水を噴霧するノズルに係る従来技術としては、特許第３０３５３７１号公報に開示されたものがある。特許第３０３５３７１号公報に記載されている噴霧装置は、図１３、図１４に示すように、オリフィス２３ｆを有するノズル２０ｆ、ノズルを支持するノズルホルダー３０ｆ、ノズルをノズルホルダーに固定するナット状のノズル固定部材４０ｆ、止水・通水を交互に行う電磁開閉弁１３ｆを有し、電磁開閉弁１３ｆの作動によって湿し水が適宜噴霧されるようになっている。ノズル２０ｆは、ノズル固定部材４０ｆによってノズルホルダー３０ｆに固定されるようになっており、ノズルホルダー３０ｆに対するノズル２０ｆの着脱は、工具を用いて行われるようになっている。ノズル２０ｆの取付けに際しては、ノズル固定部材４０ｆにノズル２０ｆを挿入し、ノズルホルダー３０ｆの先端部に設けられているおねじ５２ｆに、ノズル固定部材４０ｆを工具を用いて締め込むものであり、また、湿し水の噴霧が不具合になったときなどノズル２０ｆの取外しに際しても、同様に工具を用いて緩めるようになっている。
【０００４】
【発明が解決しようとする課題】
前記特許第３０３５３７１号公報に開示された従来技術の噴霧装置には、次のような解決すべき課題があった。すなわち、上記従来技術の噴霧装置では、印刷品質を向上させるために、湿し水の供給圧力を調整してノズルのオリフィスから均一な粒子径に霧化した湿し水を噴霧しようとするものであった。しかしながら、ノズルのオリフィスから均一な粒子径の湿し水を長期間にわたり噴霧させることは極めて難しく、使用するに従ってオリフィスの周りに湿し水に含まれる添加成分が析出して堆積し、オリフィスが狭まってくる。また、長く使用する間には異物が突然オリフィスに詰まるということは必然であり、それによって噴霧状態が変化してくる。そのまま放置すれば、湿し水が適正に噴霧されなくなり、印刷品質が低下するばかりか、湿し水の不足により印刷紙面が汚れてしまうという重大な欠陥を発生させることになるので、このような状態になる前に、担当者はノズルの交換をしなければならず、そのノズル交換に際しては、ノズルの取付け取外しとも工具を用いて操作しなければならず、極めて作業効率が悪かった。
【０００５】
また、新聞輪転機においては、通常４ページ幅の用紙に印刷可能な１本の印刷胴に対し、８個のノズルを備えることが一般的であるが、近年、新聞の多ページ化、カラー化がめざましく進展しており、１セットの新聞輪転機で印刷する場合の１つの例として、４８ページ建て新聞の２４ページ分が４色刷される場合では、２４ページ分のモノクロ印刷に使用されるノズルの数は４８個、そして、２４ページ分のカラー印刷に使用されるノズルの数は１９２個となり、合計で２４０個のノズルが使用されることになる。新聞社では通常、複数セットの新聞輪転機を設備していることが多いので、前記２４０個を遥かに超える多数のノズルがメインテナンスの対象となり、ノズルのメインテナンスは、印刷品質を管理する立場にある担当者にとって極めて大きな負担となっていた。
【０００６】
この発明は、上記従来の技術が抱えていた課題を一挙に解決しようとするもので、ノズルのメインテナンスを容易とし作業効率を向上させるために、ノズル固定部材を、ノズルホルダーに対し一方向に手回しすることによってノズルをノズルホルダーに固定させ、他方向に手回しすることによってノズルをノズルホルダーから分離させることを可能とすることによって、迅速かつ容易にノズルを交換することが可能である湿し水の噴霧装置を提供することを目的とするものである。
【０００７】
【課題を解決するための手段】
上述の課題を解決するために、本発明にかかる湿し水の噴霧装置は、オフセット印刷機の刷版面又は刷版に至るローラーの周面に、湿し水をノズルから噴霧して供給するスプレー式湿し水供給装置に係る噴霧装置であって、湿し水を噴霧するノズルと、ノズルを接続可能な端面を有するとともに、外周部に少なくとも１つの溝を設けたノズルホルダーと、少なくともノズルの噴霧口を露出可能な開口部を有するとともに、内周部に前記溝に対向して噛み合い可能なノズル着脱移動部を有し、ノズルを挟んでノズルホルダーに締め付け可能なノズル固定部材とを有し、さらに、前記ノズル固定部材には、その外周部に当該ノズル固定部材を手回し可能にする手掛かり部を設け、ノズル固定部材を、ノズルホルダーに対し一方向に手回しすることによってノズルをノズルホルダーに固定させることが可能であり、他方向に手回しすることによってノズルをノズルホルダーから分離させることが可能であることを特徴としている。
【０００８】
また、本発明の請求項２に記載の湿し水の噴霧装置は、オフセット印刷機の刷版面又は刷版に至るローラーの周面に、湿し水をノズルから噴霧して供給するスプレー式湿し水供給装置に係る噴霧装置において、湿し水を噴霧するノズルと、ノズルを接続可能な端面を有するとともに、外周部に少なくとも１つのノズル着脱移動部を有するノズルホルダーと、少なくともノズルの噴霧口を露出可能な開口部を有するとともに、内周部に前記ノズル着脱移動部に対向して噛み合い可能な溝を有し、ノズルを挟んでノズルホルダーに締め付け可能なノズル固定部材とを有し、さらに、前記ノズル固定部材には、その外周部に当該ノズル固定部材を手回し可能にする手掛かり部を設け、ノズル固定部材を、ノズルホルダーに対し一方向に手回しすることによってノズルをノズルホルダーに固定させることが可能であり、他方向に手回しすることによってノズルをノズルホルダーから分離させることが可能であることを特徴としている。
【０００９】
請求項１に記載の湿し水の噴霧装置は、ノズル固定部材のノズル着脱移動部とノズルホルダーの溝とが相互に作用してノズルをノズルホルダーに固定する。また、請求項２に記載の湿し水の噴霧装置は、ノズル固定部材の溝とノズルホルダーのノズル着脱移動部とが相互に作用してノズルをノズルホルダーに固定する。
【００１０】
そして、請求項１に記載の湿し水の噴霧装置も請求項２に記載の湿し水の噴霧装置も共に、取付工具を用いずに素手によって簡単にノズルの着脱が可能となり、担当者の作業負担の軽減を図れる。
【００１１】
また、交換作業の負担の軽減によって、ノズルのメインテナンスが容易となるので、湿し水の噴霧状態を適正に管理することが容易となり、湿し水の噴霧状態の安定化が図れ、印刷品質の維持向上を可能とする。
【００１２】
また、本発明の請求項３に記載の湿し水の噴霧装置は、請求項１又は請求項２に記載の湿し水の噴霧装置において、ノズル着脱移動部を突起体とし、このノズル着脱移動部が噛み合う溝を当該溝を設ける周部を１周回未満の螺旋状溝としたことを特徴としている。
【００１３】
ノズル着脱移動部を僅かに回転させるだけでノズル着脱移動部が溝に噛み合うようになっているので、ノズルの着脱をワンタッチで行うことができる。
【００１４】
また、本発明の請求項４に記載の湿し水の噴霧装置は、請求項１又は請求項２に記載の湿し水の噴霧装置において、ノズル着脱移動部とこのノズル着脱移動部が噛み合う溝とをねじとしたことを特徴としている。
【００１５】
ノズル着脱移動部を突起体ではなくねじとしても同様にノズル固定部材をノズルホルダーに固定させることができる。
【００１６】
また、本発明の請求項５に記載の湿し水の噴霧装置は、請求項１乃至請求項４のいずれかに記載の湿し水の噴霧装置において、ノズル固定部材の開口部の形状が、ノズルと予め定めた所定の位相関係にあるときにノズルが通過可能に形成されたことを特徴としている。
【００１７】
ノズル固定部材の開口部の形状をこのように工夫することでノズルホルダーからノズルが取り外し易くなる。
【００１８】
また、本発明の請求項６に記載の湿し水の噴霧装置は、請求項１乃至請求項５のいずれかに記載の湿し水の噴霧装置において、ノズルが、移動を許容されつつ分離を妨げられてノズル固定部材に組み込まれて設けられたことを特徴としている。
【００１９】
ノズル固定部材をノズルホルダーから外してもノズルがノズル固定部材から脱落することはない。
【００２０】
また、本発明の請求項７に記載の湿し水の噴霧装置は、請求項１乃至請求項６のいずれかに記載の湿し水の噴霧装置において、ノズルホルダーに対するノズルの取付け関係を一定に規制可能であるように位置決め手段を設けたことを特徴としている。
【００２１】
ノズルホルダーに対するノズルの取付け関係を規制することで、ノズルの最適な位置決めを実現できる。
【００２２】
また、本発明の請求項８に記載の湿し水の噴霧装置は、請求項１乃請求項７のいずれかに記載の湿し水の噴霧装置において、ノズルホルダーの外周部を、ノズルホルダーと一体に設けた円筒部材で形成したことを特徴としている。
【００２３】
さらに、本発明の請求項９に記載の湿し水の噴霧装置は、請求項１乃至請求項７のいずれかに記載の湿し水の噴霧装置において、ノズル固定部材の内周部を、ノズル固定部材と一体に設けた円筒部材で形成したことを特徴としている。
【００２４】
かかる円筒部材を用いることで、ノズルホルダーにねじ部を有する従来技術の噴霧装置においても、担当者の作業負担を軽減可能であるとともに、ノズルのメインテナンスを容易とすることが可能となる。
【００２５】
さらに、本発明の請求項１０に記載の湿し水の噴霧装置は、請求項１乃至請求項９のいずれかに記載の湿し水の噴霧装置において、手掛かり部を、ノズル固定部材の外周部から張り出した少なくとも１つの張出し部としたことを特徴としている。
【００２６】
手掛かり部を張出し部とすることで、特別な工具を必要とせずノズルを容易に着脱できる。
【００２７】
【発明の実施の形態】
次に、この発明に係る実施の形態を、図面を参照して説明する。
【００２８】
この発明に係る噴霧装置は、オフセット印刷機、例えば新聞輪転機の印刷装置Ｐ（図１１参照）に備えられるスプレー式湿し水供給装置のスプレーバー１０に複数組み込まれて用いられる。スプレーバー１０は、版胴Ｃに湿し水を供給するローラーＲに対向するように設けられ、図１２に示すように、噴霧装置１１が支持部材１２に取り付けられるようになっており、一般的には版胴Ｃの軸方向に８個所並べて設けられている。
【００２９】
以下、この発明に係る噴霧装置１１（１１ａ、１１ｂ、１１ｃ）の実施の形態について説明する。
【００３０】
この発明の第１実施形態である噴霧装置１１を図１、図２、図３に示す。また、第２実施形態である噴霧装置１１ａを図５に示す。第１実施形態と第２実施形態との相違は、第２実施形態がノズルホルダー３０ａの外周面を形成する円筒部材５１ａを有している点のみなので、括弧内に第２実施形態を並記して説明する。なお、文中では第２実施形態固有の構成部分の符号を（）内に示している。
【００３１】
噴霧装置１１（１１ａ）は、湿し水を噴霧するノズル２０と、電磁開閉弁１３の一端側に一体に取り付けられ、ノズル２０の位置決め手段３１、３１を有するとともに、ノズルホルダー３０（３０ａ）と、ノズル２０をノズルホルダー３０（３０ａ）に固定させるノズル固定部材４０と、ノズルホルダー３０（第２実施形態では円筒部材５１ａ）の外周部に設けた螺旋状の２つの溝５２、５３、５４及び５２、５３、５４と対向して噛み合うようにノズル固定部材４０の内周部から突出したノズル着脱移動部５０と、を有し構成される。各部の構成について説明する。
【００３２】
ノズル２０は、図４（ａ）、図４（ｂ）に示すように、小径部２１と大径部２２を有し、小径部２１の先端側には湿し水を噴霧するオリフィス２３が設けられている。大径部２２には、小径部２１の直径より大きい幅になるように一部分を削除された切欠き面２４、２４が設けられ、大径部２２の下面２８には、Ｏリング２５が設けられる。ノズル２０がノズルホルダー３０（３０ａ）（図１、図５参照）に取り付けられたとき、Ｏリング２５の弾性変形によって大径部２２の下面２８とノズルホルダー３０の端面３２との接続部が密着するようになっている。
【００３３】
ノズルホルダー３０（３０ａ）は、図１及び図５に示すように、ネック３３が電磁開閉弁１３に一体となるように設けられ、第２実施形態では外周部に円筒部材５１ａが嵌められている。
【００３４】
端面３２には、ノズル２０を接続し位相を定める位置決め手段３１、３１が設けられる。位置決め手段３１、３１は、前記端面３２にノズル２０（図４（ａ）参照）の大径部２２に設けられた切欠き面２４、２４間の幅寸法より僅かに大きな間隔で対向し、かつ大径部２２の厚みを超えない高さに突起して設けられており、位置決め手段３１、３１間に前記ノズル２０の切欠き面２４、２４を合わせて組み付けることによりノズル２０の位相決めを可能としている。第２実施形態における円筒部材５１ａは、図５、図６（ａ）乃至図６（ｃ）に示すように、止めねじ５６ａ、５６ａを有し前記ノズルホルダー３０ａに嵌められ、前記止めねじ５６ａ、５６ａによってネック３３に締め付けられ、ノズルホルダー３０ａに一体となるように固定される。
【００３５】
また、ノズルホルダー３０の外周部（第２実施形態では円筒部材５１ａの外周部）には、後述するノズル着脱移動部５０、５０と噛み合う溝５２、５３、５４及び５２、５３、５４（図１、図３、図５、図６（ａ）乃至図６（ｃ）参照）が設けられ、ノズル着脱移動部５０と噛み合って相互に作用し合い、ノズルホルダー３０（３０ａ）に対するノズル２０の着脱を行えるようになっている。
【００３６】
溝５２、５３、５４及び５２、５３、５４は、前記ノズルホルダー３０又は円筒部材５１ａの外周部に１周回未満のそれぞれ連続する螺旋状溝とし、適宜な深さに２つ、略対称に右ねじ方向に例えば略９０度巡って所望の移動距離が得られるように設けられ、各溝５２の末端の部分には、適宜な範囲までねじれ角のない溝５３、５４が設けられる。各溝５３、５４の末端の部分には、それぞれ溝５３、５４よりも深く掘られた適宜な深さの窪み５７、５７及び５８、５８が設けられ、窪み５７、５８間は、ねじれ角のない溝５３、５４を有する溝５２で結ばれる。また、右ねじ方向の始点となる窪み５７、５７と連絡する軸方向の溝（以下、縦溝という）５９、５９が設けられ、窪み５７から遠ざかる方向である縦溝５９の端部は、連続的に深くなるように形成されている。縦溝５９、５９は、ノズル固定部材４０をノズルホルダー３０（第２実施形態では円筒部材５１ａ）に取り付けるときのノズル着脱移動部５０、５０の案内路となる。
【００３７】
ノズル固定部材４０は、端面３２に対向してノズル２０を大径部２２から挿入可能な長穴状に開口した開口部４１を有し、かつ外周部４２から手掛かり部として張り出した張出し部４３、４３を有している。前記開口部４１は、ノズル固定部材４０をノズルホルダー３０（第２実施形態では円筒部材５１ａ）に取り付けたときにノズルホルダー３０（３０ａ）の端面３２と相対する部位の中央部に設けられる。位置決め手段３１、３１とノズル固定部材４０の開口部４１と、ノズル着脱移動部５０、５０と、溝５２、５３、５４及び５２、５３、５４との位相関係は、ノズル着脱移動部５０、５０が溝５２、５２の窪み５７、５７にあるときに、開口部４１の長径が位置決め手段３１、３１の対向方向と直角になるようになっており、この状態でノズル２０の大径部２２を開口部４１に挿入したとき、位置決め手段３１、３１間にノズル２０の切欠き面２４、２４が挿入されて位相が決まるように設定されている。したがって、前記開口部４１から挿入されたノズル２０は、ノズルホルダー３０（３０ａ）に設けられている位置決め手段３１、３１によって位相が決められる。ノズル２０を開口部４１に挿入後、ノズル着脱移動部５０、５０が溝５２、５２に沿って移動する方向、つまり時計回りの方向にノズルホルダー３０（第２実施形態ではノズルホルダー３０ａに一体となる円筒部材５１ａ）を軸としてノズル固定部材４０を手回しすると、ノズル固定部材４０がノズルホルダー３０（３０ａ）の軸方向に移動し、長穴状の開口部４１の短径側の縁辺部分が、切り欠かれてない大径部２２の部分に被さり、短径側の縁辺部分の下面４５によって押さえ付けられ、ノズル２０が固定されるようになっている。ノズル２０の固定を解くときは、逆の操作を行う。また、縦溝５９、５９を経由して、ノズル着脱移動部５０、５０が移動可能であり、ノズル固定部材４０は、ノズルホルダー３０（第２実施形態ではノズルホルダー３０ａに一体となる円筒部材５１ａ）に対して着脱可能となる。
【００３８】
ノズル着脱移動部５０、５０は、図１に示すように、ノズル固定部材４０の外周部４２から手掛かり部として張り出した張出し部４３、４３の中に挿入され設けられた噛合い調整部材５５、５５の一端側であって、ノズル固定部材４０の内周部に突起体をなすように設けられている。詳細には、ノズル着脱移動部５０、５０は、ねじ棒体に形成された噛合い調整部材５５、５５の内部に設けられた図示しないばね状の弾性体によって、球面体であるノズル着脱移動部５０が、前記球面体の一部をねじ棒体の先端から適宜な力で押し出されるようになっており、ノズル着脱移動部５０が溝５２に適宜な力で接触するようになってる。ノズル着脱移動部５０は、溝５２の途中にあるときは、溝５２の底面で押し戻されており、溝５２の各末端にあるときは、末端部分に設けられた窪み５７又は窪み５８に落ち込み、ノズル着脱移動部５０が確実にその位置を保つようになっている。なお、前記縦溝５９、５９を設けずに、ノズル固定部材４０をノズルホルダー３０（３０ａ）に取り付けることも可能である。この場合には、ノズルホルダー３０（第２実施形態では円筒部材５１ａ）にノズル固定部材４０を嵌め込んでから、噛合い調整部材５５、５５をノズル固定部材４０の張出し部４３、４３に取り付けつつ、溝５２、５２又は５３、５３又は５４、５４のいずれかに噛み合わせるように組み付けることにより構成することが可能である。
【００３９】
次に、この発明の第３実施形態である噴霧装置１１ｂを図７乃至図９に示す。第３実施形態の噴霧装置１１ｂは、湿し水を噴霧するノズル２０と、電磁開閉弁１３の一端側に一体に取り付けられ、ノズル２０の位置決め手段３１ｂ、３１ｂを有するとともに、外周部におねじ５２ｂを有するノズルホルダー３０ｂと、内周部にめねじ４４ｂを有するとともに、ノズル２０をノズルホルダー３０ｂに固定させるノズル固定部材４０ｂと、円筒部材５１ｂの内周部に設けられノズルホルダー３０ｂのおねじ５２ｂに噛み合うめねじを形成したノズル着脱移動部５０ｂと、を有し構成される。各部の構成について説明する。
【００４０】
ノズル２０は、図４（ｂ）、図４（ｃ）に示すように、小径部２１と大径部２２を有し、小径部２１の先端側には湿し水を噴霧するオリフィス２３が設けられている。大径部２２には、小径部２１の直径より大きい幅になるように一部分を削除された切欠き面２４、２４が設けられ、大径部２２の下面２８には、Ｏリング２５が設けられる。ノズル２０がノズルホルダー３０ｂ（図７）に取り付けられたとき、Ｏリング２５の弾性変形によって大径部２２の下面２８とノズルホルダー３０ｂの端面３２ｂとの接続部が密着するようになっている。また、ノズル２０には、ノズル２０がノズル固定部材４０ｂに組み込まれたとき、移動を許容されつつ分離を妨げられるように分離防止部材２６が設けられる。分離防止部材２６は、図４（ｃ）に示すように、ノズル２０の大径部２２の切欠き面２４、２４に対応するように分離防止部材２６の切欠き部２７、２７を合わせ、大径部２２の外周部に取り付けられる。図９に示すように、前記端面３２ｂに設けられた位置決め手段３１ｂ、３１ｂ間にノズル２０の切欠き面２４、２４が挿入されてノズル２０の接続位相が決まるとき、分離防止部材２６が位置決め手段３１ｂ、３１ｂに干渉しないように、分離防止部材２６には前記切欠き部２７、２７（図４（ｃ））が設けられる。そして、図７に示すように、後述するノズル固定部材４０ｂの開口部４１ｂにノズル２０が取り付けられた状態では、ノズル固定部材４０ｂがノズル２０とともにノズルホルダー３０ｂから外されても、ノズル２０が、ノズル固定部材４０ｂから分離しないようになっている。
【００４１】
ノズルホルダー３０ｂは、図７に示すように、ネック３３ｂが電磁開閉弁１３に一体となるように設けられるとともに、おねじ５２ｂと、端面３２ｂにノズル２０の接続位相を定める位置決め手段３１ｂ、３１ｂを有する。位置決め手段３１ｂ、３１ｂは、前記第１実施形態の位置決め手段３１、３１と同様であるので、説明を省略する。ノズルホルダー３０ｂの外周部には、後述するノズル着脱移動部５０ｂと噛み合うおねじ５２ｂが設けられ、ノズル固定部材４０ｂに一体となった円筒部材５１ｂの内周部に形成されためねじのノズル着脱移動部５０ｂと噛み合って相互に作用し合い、ノズルホルダー３０ｂに対するノズル２０の着脱を行えるようになっている。
【００４２】
ノズル固定部材４０ｂは、その外周部に当該ノズル固定部材４０ｂを手回し可能にする手掛かり部が設けられており、図７、図８に示すように、ノズル固定部材４０ｂをノズルホルダー３０ｂに取り付けたときにノズルホルダー３０ｂの端面３２ｂと相対する部位の中央部にノズル２０を挿入可能な円形状の開口部４１ｂを有し、内周部に設けられためねじ４４ｂに円筒部材５１ｂのおねじ４６ｂをねじ込んで、円筒部材５１ｂを一体となるように固定する。ノズル２０の大径部２２の上面が接する開口部４１ｂの縁辺部分の下面４５ｂとねじ込まれた円筒部材５１ｂの端面４７ｂとの間には、ノズル２０の分離防止部材２６を納め得る適宜な隙間が設けられる。ノズル固定部材４０ｂと一体となっている円筒部材５１ｂの内周部には、ノズル２０を固定するに必要な所望の移動距離が得られるめねじを形成したノズル着脱移動部５０ｂが設けられる。ノズル固定部材４０ｂの開口部４１ｂに挿入されノズルホルダー３０ｂに対して位相を決められたノズル２０は、ノズル固定部材４０ｂを時計方向に手回しすることによって、開口部４１ｂの縁辺部分の下面４５ｂがノズル２０の大径部２２の上面を押さえ、ノズルホルダー３０ｂに固定されるようになっている。
【００４３】
次に、この発明に係る噴霧装置の第４実施形態を図８、図１０に示す。第４実施形態の噴霧装置１１ｃは、湿し水を噴霧するノズル２０と、電磁開閉弁１３の一端側に一体に取り付けられ、ノズル２０の位置決め手段３１ｃ、３１ｃを有するとともに、外周部におねじ５２ｃを有するノズルホルダー３０ｃと、ノズル２０をノズルホルダー３０ｃに固定させるノズル固定部材４０ｃと、ノズル固定部材４０ｃの内周部に設けられ、ノズルホルダー３０ｃのおねじ５２ｃに噛み合うめねじを形成したノズル着脱移動部５０ｃと、を有し構成される。ここで、各部の構成について説明する。
【００４４】
ノズル２０は、図４（ａ）、図４（ｂ）に示すように、前記第１実施形態と同じであるので、その説明を省略する。
【００４５】
ノズルホルダー３０ｃは、図１０に示すように、ネック３３ｃが電磁開閉弁１３と一体となるように設けられるとともに、端面３２ｃにノズル２０の接続位相を定める位置決め手段３１ｃ、３１ｃを有する。位置決め手段３１ｃ、３１ｃは、前記第１実施形態及び第２実施形態の位置決め手段３１、３１と同様であるので、説明を省略する。ノズルホルダー３０ｃの外周部には、後述するノズル着脱移動部５０ｃ、５０ｃと噛み合うおねじ５２ｃが設けられ、ノズル固定部材４０ｃの内周部に形成されためねじのノズル着脱移動部５０ｃと噛み合って相互に作用し合い、ノズルホルダー３０ｃに対するノズル２０の着脱を行えるようになっている。
【００４６】
ノズル固定部材４０ｃは、その外周部に当該ノズル固定部材４０ｃを手回し可能にする手掛かり部が設けられており、図８、図１０に示すように、ノズル固定部材４０ｃをノズルホルダー３０ｃに取り付けたときにノズルホルダー３０ｃの端面３２ｃと相対する部位の中央部にノズル２０を挿入可能な円形状の開口部４１ｃを有し、内周部にはノズル２０を固定するに必要な所望の移動距離が得られるめねじを形成したノズル着脱移動部５０ｃが設けられる。ノズル固定部材４０ｃの開口部４１ｃに挿入されノズルホルダー３０ｃに対して位相を決められたノズル２０は、ノズル固定部材４０ｃを時計方向に手回しすることによって、開口部４１ｃの縁辺部分の下面４５ｃが、ノズル２０の大径部２２の上面を押さえ、ノズルホルダー３０ｃに固定されるようになっている。
【００４７】
次に、この発明に係る湿し水の噴霧装置の作用について図面を参照し説明する。この発明に係る第１実施形態は、ノズルホルダー３０に円筒部材を取り付けないことを除き、第２実施形態と同じなので、括弧内に第２実施形態を並記して説明する。第２実施形態では、図５に示すように円筒部材５１ａをノズルホルダー３０ａに嵌め、止めねじ５６ａ、５６ａによってネック３３に締め付け、ノズルホルダー３０ａに円筒部材５１ａを一体となるように事前に組み付けておく。さて、図１乃至図３（図５）に示すように、第１実施形態（第２実施形態）では、ノズル固定部材４０をノズルホルダー３０（３０ａ）に取り付けるには、ノズル固定部材４０の内周部から突出して突起体を形成したノズル着脱移動部５０、５０を、ノズルホルダー３０（第２実施形態ではノズルホルダー３０ａに一体となる円筒部材５１ａ）の軸方向に設けられた縦溝５９、５９に合わせて軸方向に押し込む。縦溝５９、５９の入口は深く掘られているので、前記ノズル固定部材４０を容易に挿入できる。ノズル着脱移動部５０、５０が、軸方向に押し込まれるに従って、縦溝５９、５９は浅くなり、最後に一定の深さになる。ノズル着脱移動部５０、５０は、ノズル固定部材４０に設けられているねじ棒体をなす噛合い調整部材５５、５５の弾性体に抗して中に押しやられ、縦溝５９、５９の終端に至ると、窪み５７、５７に一瞬にして落ち込む。そして、ノズル固定部材４０の取付けが完了し、かつ窪み５７、５７の位置が、ノズル２０の固定を開始するノズル固定部材４０の始点位置となる。この状態において、ノズル２０は、ノズルホルダー３０（３０ａ）の端面３２に突起して設けられている位置決め手段３１、３１の間に、大径部２２を開口部４１から挿入可能となる。
【００４８】
ノズルホルダー３０（３０ａ）にノズル２０を取り付けるときは、前記開口部４１からノズル２０を挿入し、位置決め手段３１、３１間にノズル２０の切欠き面２４、２４を合わせて組み付け、位相決めする。次に、ノズル固定部材４０を時計方向に手回しする。すると、ノズル着脱移動部５０、５０が、ねじれ角のない溝５３、５３から螺旋状の溝５２、５２を経て、ねじれ角のない溝５４、５４へ移動し、ノズル固定部材４０が回りながら軸方向に移動する。すなわち、ノズル着脱移動部５０、５０は、溝５２、５２を通って溝５４、５４の終端に至り、窪み５８、５８に落ち込む。この途中において、ノズル２０の大径部２２の上面側がノズル固定部材４０の開口部４１の短径側の縁辺部分の下面４５によって押し付けられ始め、終端に至ると、ノズル着脱移動部５０、５０は窪み５８、５８に落ち込む。そして、この窪み５８、５８の位置がノズル固定部材４０の終点位置となり、ノズル２０の取付け完了の位置となる。このとき、ノズル２０は、大径部２２の下面２８に設けられているＯリング２５の弾性変形によって、ノズルホルダー３０（３０ａ）の端面３２に完全に密着し固定される。この第１実施形態（第２実施形態）では、軸回りに９０度巡って所望の移動距離が得られるように溝５２、５３、５４及び５２、５３、５４が設けられているので、ノズル２０の固定は、いわゆるワンタッチで素早く行うことができる。
【００４９】
ノズルホルダー３０（３０ａ）からノズル２０を取り外すときは、ノズル固定部材４０を終点位置から始点位置まで反対方向に回し、ノズル２０の大径部２２の押えを解除するとともに、ノズル固定部材４０を始点位置に置いたまま、ノズル２０の小径部２１を摘んでノズルホルダー３０（３０ａ）から容易に取り外すことが可能である。また、清掃に際しては、ノズル固定部材４０を前記縦溝５９、５９に沿って引き抜けば、ノズル固定部材４０を外すことが可能である。
【００５０】
次に、この発明に係る第３実施形態は、図７乃至図９に示すように、分離防止部材２６を設けたノズル２０が、円筒部材５１ｂによって移動を許容されつつ分離を妨げられるようにノズル固定部材４０ｂに組み込まれており、ノズル２０は、開口部４１ｂに対して回り得る。ノズルホルダー３０ｂにノズル２０を取り付けるときは、ノズル固定部材４０ｂと一体となっている円筒部材５１ｂの内周部をノズルホルダー３０ｂに挿入し、ノズル２０の先端を摘んで軽く左右に回し、位置決め手段３１ｂ、３１ｂ間にノズル２０の切欠き面２４、２４を合わせて組み付けると、分離防止部材２６の切欠き部２７に位置決め手段３１ｂ、３１ｂが挿入され、ノズル２０は位相決めされる。次に、ノズル固定部材４０ｂを時計方向に手回しして止まるまで回す。すると、ノズルホルダー３０ｂのおねじ５２ｂと噛み合うノズル着脱移動部５０ｂによってノズル固定部材４０ｂが軸方向に移動し、ノズル２０の大径部２２の上面側がノズル固定部材４０ｂの開口部４１ｂの縁辺部分の下面４５ｂによって押し付けられ始め、例えば略１．５回転回すと所望の移動距離が得られ、ノズル２０を固定することがことができる。ノズル２０を外すときは、反対方向に回せば、ノズルホルダー３０ｂのおねじ５２ｂからノズル着脱移動部５０ｂの噛み合いが外れ、ノズル２０とともにノズル固定部材４０ｂを取り外すことができる。
【００５１】
ノズル２０を交換するときは、ノズル固定部材４０ｂから円筒部材５１ｂを外し、古いノズルを外し、分離防止部材２６が取り付けられている新しいノズルを開口部４１ｂに挿入し、再度円筒部材５１ｂをノズル固定部材４０ｂにねじ込めばよい。
【００５２】
この発明に係る第４実施形態は、図８、図１０に示すように、ノズルホルダー３０ｃの位置決め手段３１ｃ、３１ｃ間にノズル２０の切欠き面２４、２４を合わせて組み付け、ノズル２０を予め位相決めしておく。そして、ノズル固定部材４０ｃの内周部をノズルホルダー３０ｃに挿入するとともに、開口部４１ｃにノズル２０を挿入する。次に、ノズル固定部材４０ｃを時計方向に手回しして止まるまで回す。すると、ノズルホルダー３０ｃのおねじ５２ｃと噛み合うノズル着脱移動部５０ｃによって、ノズル固定部材４０ｃが軸方向に移動し、ノズル２０の大径部２２の上面側がノズル固定部材４０ｃの開口部４１ｃの縁辺部分の下面４５ｃによって押し付けられ始め、例えば略１．５回転回すと所望の移動距離が得られ、ノズル２０を固定することができる。ノズル２０を外すときは、反対方向に回せば、ノズルホルダー３０ｃのおねじ５２ｃからノズル着脱移動部５０ｃの噛み合いが外れ、ノズル２０とともにノズル固定部材４０ｃを取り外すことができる。その後、ノズルホルダー３０ｃに取り残されているノズル２０を取り除く。
【００５３】
以上、この発明に係る噴霧装置の実施形態において、第２実施形態及び第３実施形態のように円筒部材５１ａ及び５１ｂを有する構成を用いれば、図１３、図１４に示すような従来技術のノズルホルダー５２ｆを含む各種の噴霧装置においても、各ノズルホルダーに対応した円筒部材を形成すれば適応可能であることはいうまでもない。
【００５４】
また、第２実施形態に示した円筒部材５１ａの外周部の溝５２、５３、５４、窪み５７、５８に対するノズル固定部材４０の内周部に突起体をなすノズル着脱移動部５０の関係、そして、第１実施形態に示したノズルホルダー３０の外周部の溝５２、５３、５４、窪み５７、５８に対するノズル固定部材４０の内周部に突起体をなすノズル着脱移動部５０の関係が、それぞれ反対の関係となるように、円筒部材５１ａの外周部、ノズルホルダー３０の外周部に、それぞれノズル着脱移動部５０が設けられ、それぞれに対してノズル固定部材の内周部に溝が設けられるようにしたものであっても差し支えない。
【００５５】
【発明の効果】
以上記載のとおり、この発明によれば、取付工具を用いずに素手によって簡単にノズルの着脱が可能となったので、担当者の作業負担の軽減を図ることができた。
【００５６】
また、交換作業の負担の軽減によって、ノズルのメインテナンスが容易となったことから、湿し水の噴霧状態を適正に管理することが容易となり、湿し水の噴霧状態の安定化が図れ、印刷品質の維持向上を図ることが可能となった。
【００５７】
また、請求項８、請求項９、請求項１０に記載の発明によれば、ノズルホルダーにねじ部を有する従来技術の噴霧装置においても、担当者の作業負担を軽減可能であるとともに、ノズルのメインテナンスを容易とすることが可能である。
【図面の簡単な説明】
【図１】この発明に係る湿し水の噴霧装置の第１実施形態における部分断面図。
【図２】図１及び図５における部分平面図。
【図３】図１における部分斜視図。
【図４】ノズルのオリフィス側から見た斜視図（図４（ａ））、ノズルの大径部の底面側から見た斜視図（図４（ｂ））、及び図４（ａ）におけるノズルの大径部に分離防止部材を備えたノズルの斜視図（図４（ｃ））。
【図５】この発明に係る湿し水の噴霧装置の第２実施形態における部分断面図。
【図６】図５における円筒部材の斜視図（図６（ａ））、図６（ａ）における円筒部材の縦溝を右側面とした部分断面図（図６（ｂ））、及び図６（ａ）における円筒部材の縦溝を正面とした部分断面図（図６（ｃ））。
【図７】この発明に係る湿し水の噴霧装置の第３実施形態における部分断面図。
【図８】図７、図１０における部分平面図。
【図９】図７における分離防止部材を備えたノズルと位置決め手段との関係を示す部分平面図。
【図１０】この発明に係る湿し水の噴霧装置の第４実施形態における部分断面図。
【図１１】印刷装置の正面図を示し、この発明に係る湿し水の噴霧装置を備えたスプレーバーの配置図。
【図１２】図１１におけるスプレーバーの斜視図。
【図１３】従来技術の噴霧装置の部分斜視図。
【図１４】図１３における噴霧装置の部分断面図。
【符号の説明】
１０　　スプレーバー
１１、１１ａ、１１ｂ、１１ｃ　　噴霧装置
１２　　支持部材
１３　　電磁開閉弁
２０　　ノズル
２１　　小径部
２２　　大径部
２３　　オリフィス
２４　　大径部の切欠き面
２５　　Ｏリング
２６　　分離防止部材
２７　　分離防止部材の切欠き部
２８　　大径部の下面
３０、３０ａ、３０ｂ、３０ｃ　　ノズルホルダー
３１、３１ｂ、３１ｃ　　位置決め手段
３２、３２ｂ、３２ｃ　　ノズルホルダーの端面
３３、３３ｂ、３３ｃ　　ノズルホルダーのネック
４０、４０ｂ、４０ｃ　　ノズル固定部材
４１、４１ｂ、４１ｃ　　開口部
４２　　外周部
４３　　張出し部（手掛かり部）
４４ｂ　　めねじ
４５、４５ｂ、４５ｃ　　縁辺部分の下面
４６ｂ　　おねじ
４７ｂ　　円筒部材の端面
５０、５０ｂ、５０ｃ　　ノズル着脱移動部
５１ａ、５１ｂ　　円筒部材
５２　　溝
５２ｂ、５２ｃ　　おねじ
５３　　ねじれ角のない溝
５４　　ねじれ角のない溝
５５　　噛合い調整部材
５６ａ　　円筒部材の止めねじ
５７　　窪み
５８　　窪み
５９　　縦溝
Ｐ　　印刷装置
Ｃ　　版胴
Ｒ　　ローラー
【図１】
2004058427.tif 000003
【図２】
2004058427.tif 000004
【図３】
2004058427.tif 000005
【図４】
2004058427.tif 000006
【図５】
2004058427.tif 000007
【図６】
2004058427.tif 000008
【図７】
2004058427.tif 000009
【図８】
2004058427.tif 000010
【図９】
2004058427.tif 000011
【図１０】
2004058427.tif 000012
【図１１】
2004058427.tif 000013
【図１２】
2004058427.tif 000014
【図１３】
2004058427.tif 000015
【図１４】
2004058427.tif 000016